(57)【特許請求の範囲】
【請求項１】
複数の機能ユニットを搭載した荷役作業用車輌における累積使用時間計時方法において、
交換可能に設けられた、少なくとも第１の機能ユニットと第２の機能ユニットのそれぞれに、累積使用時間の計時を並行して行わせると共に、
該計時結果を前記第１の機能ユニットに設けた第１記憶装置及び前記第２の機能ユニットに設けた第２記憶装置にそれぞれ記憶させ、通信手段を介して定期的に前記ユニット間で相互の情報を送信させあい、前記第１及び前記第２の機能ユニットのそれぞれに記憶された累積使用時間計時結果の差を算出させ、
前記夫々の機能ユニットの自己側累積使用時間が他方側累積使用時間よりも小さい場合、前記対応する機能ユニットの自己側記憶装置に他方側累積使用時間を記憶させるようにしたことを特徴とする荷役作業用車輌における累積使用時間計時方法。
【請求項２】
前記各機能ユニット間における累積使用時間の通信手段を介した受信と比較及び前記記憶装置への記憶とを、前記荷役作業用車輌の電源ＯＮ直後におこなわせることを特徴とする請求項１に記載した荷役作業用車輌における累積使用時間計時方法。
【請求項３】
前記各機能ユニット間における累積使用時間の通信手段を介した受信と比較及び前期記憶装置への記憶とを、所定時間おきに行うことを特徴とする請求項１または２に記載した荷役作業用車輌における累積使用時間計時方法。
【請求項４】
前記各機能ユニットにおける前記記憶装置はそれぞれ揮発メモリと不揮発メモリとからなり、前記それぞれの計時装置で計時した累積使用時間は前記揮発メモリに書き込み、さらに所定時間毎、または前記荷役作業用車輌の電源ＯＦＦ時に対応する前記不揮発メモリへ書き込むことを特徴とする請求項１乃至３のいずれかに記載した荷役作業用車輌における累積使用時間計時方法。
【請求項５】
前記荷役作業用車輌は外部サービスツールとの通信手段を有し、該サービスツールによる累積使用時間の０リセット要求信号で前記各機能ユニットの計時装置と前記揮発メモリにおける累積使用時間を０にリセットすると共に、前記各機能ユニットに再度、０にリセットすることを禁止するフラグを前記記憶装置に記憶させ、前記荷役作業用車輌の電源ＯＦＦ時または０リセット実行時に前記不揮発メモリに０リセット結果を書き込むことを特徴とする請求項４に記載した荷役作業用車輛における累積使用時間計時方法。
【請求項６】
複数の機能ユニットを搭載した荷役作業用車輌において、夫々交換可能に前記荷役作業用車輌に搭載されている、少なくとも第１の機能ユニットと第２の機能ユニットとを具え、前記荷役作業用車輌における前記記憶装置と計時装置とが、前記第１の機能ユニットと第２の機能ユニットにそれぞれ設けられて、前記荷役作業用車輌の電源ＯＮ状態の累積使用時間を前記２つの計時装置で並行して計時してそれぞれに対応した記憶装置に記憶するよう構成され、
前記第１の機能ユニットと第２の機能ユニットは、それぞれに設けられた通信手段を介して他方側累積使用時間を受信して自己側記憶装置に記憶された累積使用時間と比較し、前記第１及び第２の機能ユニット夫々の記憶装置に記憶されている自己側累積使用時間が前記他方側累積使用時間よりも小さい場合に、前記対応する機能ユニットが前記自己側記憶装置に他方側累積使用時間を記憶させるよう構成されていることを特徴とする荷役作業用車輌。
【請求項７】
前記各機能ユニットは、前記通信手段を介した各機能ユニット間の累積使用時間の受信と比較、及び前記記憶装置への記憶とを、前記荷役作業用車輌の電源ＯＮ直後におこなわせるよう構成されていることを特徴とする請求項６に記載した荷役作業用車輌。
【請求項８】
前記各機能ユニットは、前記通信手段を介した各機能ユニット間の累積使用時間の受信と比較、及び前期記憶装置への記憶とを、所定時間おきに行うよう構成されていることを特徴とする請求項６または７に記載した荷役作業用車輌
【請求項９】
前記各機能ユニットに設けられた記憶装置はそれぞれ揮発メモリと不揮発メモリとからなり、前記各機能ユニットの制御装置は、前記それぞれの計時装置で計時した累積使用時間を前記揮発メモリに書き込み、前記荷役作業用車輌の電源ＯＦＦ時または所定時間おきに、それぞれに対応した前記不揮発メモリに書き込むよう構成されていることを特徴とする請求項６乃至８のいずれかに記載した荷役作業用車輌。
【請求項１０】
前記一の機能ユニットの制御装置は、外部サービスツールとの通信手段を有すると共に前記荷役作業用車輌の工場出荷時、前記少なくとも第１の機能ユニットと第２の機能ユニットとにそれぞれ設けられた計時装置と記憶装置の累積使用時間を０にリセットする機能を有し、前記一の機能ユニットの制御装置は、前記外部サービスツールからの前記計時装置と記憶装置の累積使用時間の０リセット要求信号で、前記各機能ユニットの計時装置と揮発メモリを０にリセットすると共に、前記第１の機能ユニットと第２の機能ユニットの記憶装置に０にリセットすることを禁止するフラグを記憶させるよう構成されていることを特徴とする請求項６乃至９のいずれかに記載した荷役作業用車輌。
【発明の詳細な説明】
【技術分野】
【０００１】
本発明は荷役作業用車輌における累積使用時間計時方法と該計時方法を用いる荷役作業用車輌に係り、特に、荷役作業用車輌における工場出荷後の総使用時間を表示装置側計数装置でカウントするようにした荷役作業用車輛において、表示装置が故障で交換されても正しい総累積使用時間を保持できるようにした、荷役作業用車輌における累積使用時間計時方法と該計時方法を用いる荷役作業用車輌に関するものである。
【背景技術】
【０００２】
一般の乗用車は積算距離計（オドメータ）を備え、工場出荷後、どの程度走行したかがわかるようになっていて、この積算距離計が壊れたときは、交換したときの総走行距離を車検証に記載することが義務づけられている。それに対して荷役作業用車輌としてのフォークリフトなどは、工場出荷後の総使用時間をアワーメータ（計時装置）で累計するようになっている。
【０００３】
このアワーメータは、一般的に速度の表示装置などと一体化されて備えられるケースが多く、工場出荷後に計測した時間は修正できないようにされている。しかしながら、このようにアワーメータを有した表示装置が壊れて交換した場合、新しい表示装置を装着するとそれまでの使用時間がリセットされ、どの程度使用したかわからなくなってしまう。特に表示装置を警告表示などと一緒に一体としたアセンブリ品の場合、警告表示用ランプが切れても表示装置全体の交換となるため、こういった問題が生じる。
【０００４】
また、一般的にこういったアワーメータは電源ＯＮで使用時間を積算するようになっているが、工場における出荷前の調整などによっても使用時間が進むから、工場出荷時に積算値を０にリセットして出荷している。そしてこの０リセットをユーザが行えるようにすると、長期間使用した車輛を短時間しか使用していないように改ざんされる可能性があるため、通常は出荷後の積算時間の変更はできないようになっている。
【０００５】
こういったアワーメータに関する先行技術としては、特許文献１に、使用累積時間が工場出荷後に改ざんできないようにするため、使用累積時間を不揮発メモリに記憶し、アワメータの値を外部ツールにより変更可能にすると共に、変更できるのは制御装置が新品の時のみとし、新品であるかどうかの判定は、アワメータ値がゼロ又はゼロに近い数値である場合とする車両用制御装置が示されている。
【０００６】
【特許文献１】特開２００８−０４０５６８号公報
【発明の開示】
【発明が解決しようとする課題】
【０００７】
しかしながらこれら特許文献１に示された車両用制御装置は、工場出荷後の改ざんは防げても、アワーメータを有した表示装置が壊れて交換した場合、それまでの使用時間がリセットされて総使用時間がわからなくなることについては何も示唆されていない。
【０００８】
そのため本発明においては、アワーメータ（計時装置）を組み込んだ表示装置や制御装置が壊れ、交換したときにそれまでの使用時間が引き継がれるようにすると共に、工場出荷時にアワーメータを０にリセットすること（以後、０リセットと略称する）が可能でありながら出荷後の改ざんを防止できるようにしたアワーメータを有する、荷役作業用車輌における累積使用時間計時方法と該計時方法を用いる荷役作業用車輌を提供することが課題である。
【課題を解決するための手段】
【０００９】
上記課題を解決するため、本発明になる荷役作業用車輌における累積使用時間計時方法は、
複数の機能ユニットを搭載した荷役作業用車輌における累積使用時間計時方法において、
交換可能に設けられた、少なくとも第１の機能ユニットと第２の機能ユニットのそれぞれに、累積使用時間の計時を並行して行わせると共に、
該計時結果を前記第１の機能ユニットに設けた第１記憶装置及び前記第２の機能ユニットに設けた第２記憶装置にそれぞれ記憶させ、通信手段を介して定期的に前記ユニット間で相互の情報を送信させあい、前記第１及び前記第２の機能ユニットのそれぞれに記憶された累積使用時間計時結果の差を算出させ、
前記夫々の機能ユニットの自己側累積使用時間が他方側累積使用時間よりも小さい場合、前記対応する機能ユニットの自己側記憶装置に他方側累積使用時間を記憶させるようにしたことを特徴とする。
【００１０】
そしてこの累積使用時間計時方法を実施する荷役作業用車輌は、
複数の機能ユニットを搭載した荷役作業用車輌において、夫々交換可能に前記荷役作業用車輌に搭載されている、少なくとも第１の機能ユニットと第２の機能ユニットとを具え、前記荷役作業用車輌における前記記憶装置と計時装置とが、前記第１の機能ユニットと第２の機能ユニットにそれぞれ設けられて、前記荷役作業用車輌の電源ＯＮ状態の累積使用時間を前記２つの計時装置で並行して計時してそれぞれに対応した記憶装置に記憶するよう構成され、前記第１の機能ユニットと第２の機能ユニットは、それぞれに設けられた通信手段を介して他方側累積使用時間を受信して自己側記憶装置に記憶された累積使用時間と比較し、前記第１及び第２の機能ユニット夫々の記憶装置に記憶されている自己側累積使用時間が前記他方側累積使用時間よりも小さい場合に、前記対応する機能ユニットが前記自己側記憶装置に他方側累積使用時間を記憶させるよう構成されていることを特徴とする。
【００１１】
また、前記各機能ユニット間における累積使用時間の通信手段を介した受信と比較及び前記記憶装置への記憶とを、前記荷役作業用車輌の電源ＯＮ直後におこなわせたり、前記各機能ユニット間における累積使用時間の通信手段を介した受信と比較及び前期記憶装置への記憶とを、所定時間おきに行う。そのため、前記各機能ユニットは、前記通信手段を介した各機能ユニット間の累積使用時間の受信と比較、及び前記記憶装置への記憶とを、前記荷役作業用車輌の電源ＯＮ直後、または所定時間おきに行うよう構成した。
【００１２】
このように複数の機能ユニットのそれぞれに、累積使用時間を計数する計時装置と該計時装置が計時した荷役作業用車輌の累積使用時間を記憶する記憶装置と通信手段とを持たせ、それによって計時した累積使用時間を送信しあって比較、及び記憶を、電源ＯＮ直後と所定時間おきに実施し、自己側累積使用時間が他方側累積使用時間よりも小さい場合、自己側記憶装置に他方側累積使用時間を記憶させることで、例えアワーメータ（計時装置）を組み込んだどれかの機能ユニットが壊れて交換しても、それまでの使用時間は正確に引き継がれて累積使用時間がわからなくなってしまう、という問題が生ぜず、常に正しい累積使用時間を表示できる表示装置とすることができる。
【００１３】
すなわち本発明では、表示装置、制御部など、複数の機能ユニットのうちの一が故障して交換しても、他の機能ユニット側記憶装置の累積使用時間が一の機能ユニットにセットされることになるから、表示装置と制御部などの機能ユニットのどちらが壊れた場合も累積使用時間を正確に引き継ぐことができるわけである。また、計時装置の改ざんは荷役作業用車輌の価値判断を誤らせるが、制御装置と表示装置の累積使用時間のうち、大きい方を小さい方に記憶させることで、こういったことも防止できる。
【００１４】
そして、前記各機能ユニットにおける前記記憶装置はそれぞれ揮発メモリと不揮発メモリとからなり、前記それぞれの計時装置で計時した累積使用時間は前記揮発メモリに書き込み、さらに所定時間毎、または前記荷役作業用車輌の電源ＯＦＦ時に対応する前記不揮発メモリへ書き込むようにし、そのため、前記各機能ユニットに設けられた記憶装置はそれぞれ揮発メモリと不揮発メモリとからなり、前記各機能ユニットの制御装置は、前記それぞれの計時装置で計時した累積使用時間を前記揮発メモリに書き込み、前記荷役作業用車輌の電源ＯＦＦ時または所定時間おきに、それぞれに対応した前記不揮発メモリに書き込むよう構成したことで、突発事故で電源が断たれるようなことがあっても、累積使用時間を失うことなく累積使用時間の管理を適正に実施できる。
【００１５】
また、前記荷役作業用車輌は外部サービスツールとの通信手段を有し、該サービスツールによる累積使用時間の０リセット要求信号で前記各機能ユニットの計時装置と前記揮発メモリにおける累積使用時間を０にリセットすると共に、前記各機能ユニットに再度、０にリセットすることを禁止するフラグを前記記憶装置に記憶させ、前記荷役作業用車輌の電源ＯＦＦ時または０リセット実行時に前記不揮発メモリに０リセット結果を書き込む。そしてそのために、前記一の機能ユニットの制御装置は、外部サービスツールとの通信手段を有すると共に前記荷役作業用車輌の工場出荷時、前記少なくとも第１の機能ユニットと第２の機能ユニットとにそれぞれ設けられた計時装置と記憶装置の累積使用時間を０にリセットする機能を有し、前記一の機能ユニットの制御装置は、前記外部サービスツールからの前記計時装置と記憶装置の累積使用時間の０リセット要求信号で、前記各機能ユニットの計時装置と揮発メモリを０にリセットすると共に、前記第１の機能ユニットと第２の機能ユニットの記憶装置に０にリセットすることを禁止するフラグを記憶させるよう構成した。したがって、例え表示装置と制御装置などの機能ユニットとにそれぞれ計時装置と記憶装置とを有して出荷時にそれら０リセットするときも、全ての記憶内容を確実に０リセットでき、また、制御装置と表示装置に設けられた０リセット禁止フラグにより、制御装置と表示装置の計時装置は再度の０リセットが行えないから、アワーメータ（計時装置）の改ざんも防止することができる。
【発明の効果】
【００１６】
以上記載のごとく本発明になる荷役作業用車輌は、計時装置（アワーメータ）が組み込まれている表示装置、または制御装置などの機能ユニットが壊れて交換されても、各機能ユニットに記憶されている累積使用時間が引き継がれるから、累積使用時間がわからなくなる、という問題が生じない。また、表示装置と制御装置などの複数の機能ユニットに計時装置と記憶装置を有しても、出荷時には全てを確実に０リセットできると共に改ざんも防止できる、荷役作業用車輌における累積使用時間計時方法と該計時方法を用いる荷役作業用車輌を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１は、本発明になる荷役作業用車輌の表示ユニットを含む荷役作業用車輌のブロック図、図２は本発明になる荷役作業用車輌における累積使用時間計時方法のフロー図、図３はアワーメータ（計時装置）の工場出荷時の０リセットのフロー図である。
【００１９】
図１において１０はＣＰＵやメモリを含む表示ユニットで、この表示ユニット１０は後記する荷役作業用車輌全体の制御ユニット１１からの信号を受け、表示パネル１０２に各種データを表示する。これらのデータは荷役作業用車輌の車速、エンジン回転数、フォークリフトなどにおいてはフォークのチルト角、運搬する荷物の荷重、燃料残量、エンジン冷却水温度、その他エラー表示や警告表示などの複数の表示項目である。また表示ユニット１０には、表示、通信等のデータ処理を表示制御装置１０１、累積使用時間を計時する第１の計時装置１０４の計時結果を記憶する第１の記憶装置１０３、ＣＡＮ（Ｃｏｎｒｏｌｌｅｒ  Ａｒｅａ  Ｎｅｔｗｏｒｋ）と呼ばれる通信制御プロトコルやＦｌｅｘ  Ｒａｙと呼ばれる通信制御プロトコルなどを用いて制御ユニット１１との通信を行う通信部１０６などを有している。
【００２０】
１１の制御ユニットは、ＣＰＵやメモリを含み、荷役作業用車輌全体を制御するための制御装置１１０、制御ユニット１１側で累積使用時間を計時する第２の計時装置１１２、その計時結果を記憶する第２の記憶装置１１１、やはりＣＡＮやＦｌｅｘ  Ｒａｙと呼ばれる通信制御プロトコルなどを用いて表示ユニット１０と通信するための通信部１１３、サービスマンなどがサービス時に使う外部サービスツール１８と通信するための外部機器通信手段１１４などを有して構成されている。なお、第１の記憶装置１０３、第２の記憶装置１１１はそれぞれ揮発メモリ（ＲＡＭ：Random  Access  Memory）と不揮発メモリ（ＲＯＭ：Read  Only  Memory）とで構成され、第１の計時装置１０４、第２の計時装置１１２の計時した累積使用時間は最初揮発メモリに書き込まれ、所定時間おき、または荷役作業用車輌の電源ＯＦＦ時に対応する前記不揮発メモリに書き込まれて確実に保持されるようにしている。なお、第１の記憶装置１０３及び第２の記憶装置１１１の不揮発メモリには、工場出荷時に第１の記憶装置１０３、第１の計時装置１０４、第２の記憶装置１１１、第２の計時装置１１２の累積使用時間を０にリセットしたとき、出荷後に再度０リセットが行えないよう、０リセットを禁止する０リセット禁止フラグが記憶される。
【００２１】
１２は運転装置で、車輛の電源をＯＮ／ＯＦＦするためのキースイッチ１２１、アクセルペダルが踏み込まれたときにその信号を送り出すアクセルスイッチ１２２、ブレーキペダルが踏み込まれたときにその信号を送り出すブレーキスイッチ１２３、前後進レバーが操作されたときにその信号を送り出す前後進レバースイッチ１２４などを含んで構成されている。１３は荷役作業用車輌の車速を検出する車速センサ、１４はフォークリフトにおいてフォークによって荷物を持ち上げさせる指示を出すリフトレバー１４１、同じくフォークを前倒、後倒（チルト）させる指示を出すチルトレバー１４２などを含む荷役装置である。また、１５は燃料残量、エンジン冷却水温度などのセンサを含むその他のセンサである。
【００２２】
また、１６は、エンジン、変速装置、ブレーキなどを含む走行装置であり、１７は前記した運転装置１２、速度センサ１３、荷役装置１４、各種センサ１５などからの信号を制御部１１に送るためのＩ／Ｏインターフェイスで、１８はサービスマンなどがサービス時に使う外部サービスツールである。なお、以下の説明は、本発明をフォークリフトなどの荷役作業用車輌に適用した場合を例に説明してゆくが、本発明は荷役作業用車輌であればフォークリフト以外の荷役作業用車輌にも適用できることはあきらかである。
【００２３】
このような構成の荷役作業用車輌は、キースイッチ１２１をＯＮさせることで表示ユニット１０を構成する表示パネル１０２が点灯され、後記するように通信部１０６、１１３を介して第１の記憶装置１０３と第２の記憶装置１１１に記憶されている累積使用時間が送信され、受信した他方側累積使用時間データと自己側累積使用時間データとが比較されて、もし両者の値が異なると、大きい方の値が小さい値を記憶している記憶装置に書き込まれる。そしてその後、その値に基づいてキースイッチ１２１がＯＮしている間の時間を第１の計時装置１０４、第２の計時装置１１２がそれぞれ独立に累積使用時間を計時し、第１の計時装置１０４の計時結果をこの表示パネル１０２に表示する。また、各種センサ１５からＩ／Ｏインターフェイス１７、制御装置１１０、通信部１１３、１０６を介して送られてくる燃料残量、エンジン冷却水温度、その他荷役作業用車輌各部の状態などが表示される。
【００２４】
そしてフォークで荷物を運搬するときは、荷役装置１４のチルトレバー１４２を引いてフォークを路面から１５〜２０ｃｍ程度上げ、アクセル１２２を踏み込むことでＩ／Ｏインターフェイス１７、制御装置１１０を介して走行装置１６が駆動されるから、積荷が有るところまで走行して積荷に正対し、フォークの先端と積荷までの距離が２０〜３０ｃｍ程度となる位置でブレーキ１２３を用いて一旦停止する。次にチルトレバー１４２を操作してフォークを水平状態に戻し、リフトレバー１４１を操作してフォークがパレットの差し込み口の高さとなるようにする。
【００２５】
そしてその状態で駐車ブレーキ１２３を解除し、前後進レバー１２４を前進位置にしてゆっくり前進し、フォークの根本までパレットに差し込んで停車し、駐車ブレーキ１２３をロックする。次にリフトレバー１４１を操作し、積荷を１０ｃｍ程度上げ、さらにチルトレバー１４２を引いてフォークを後倒させて積荷を安定させる。その状態で前後進レバー１２４を後進にし、駐車ブレーキ１２３を解除して安全に積荷がおろせる位置まで後進する。
【００２６】
そして残った積荷から２０〜３０ｃｍ程度離れた位置で停車し、駐車ブレーキ１２３をロックしてリフトレバー１４１を操作し、フォークの下端が路面から１５〜２０ｃｍ程度になるまで下降させ、その状態で前後進レバー１２４を後進にして駐車ブレーキ１２３を解除し、安全に進行方向変更できるところまで後進した後、目的とする例えばトラックの位置まで移動する。
【００２７】
以上が図１にブロック図を示した荷役作業用車輌の一例としてのフォークリフトの動作であるが、次に、図２の本発明になる荷役作業用車輌における累積使用時間計時方法のフロー図を用い、このように構成した本発明の荷役作業用車輌における、累積使用時間計時方法について説明する。なお、この図２のフロー図は、（Ａ）が制御ユニット１１（以下、ＶＣＭ１１と略称する場合がある）側、（Ｂ）が表示ユニット１０（以下、Ｍ／Ｐ１０と略称する場合がある）側のフロー図であり、ＶＣＭ１１とＭ／Ｐ１０とは、第１の計時装置１０４、第２の計時装置１１２の計時結果を含むデータを、互いに定期的に送受している。
【００２８】
前記したように本発明の荷役作業用車輌においては、使用時間を計時する計時装置を制御ユニット１１及び表示ユニット１０に１個ずつ計２個持っており、計時した累積使用時間を記憶する記憶装置も制御ユニット１１及び表示ユニット１０に１個ずつ計２個持っている。制御ユニット１０と表示ユニット１１とは、前記した通信部１０６、１１３を介して累積使用時間計時結果を含む情報を相互に一定周期で送信しあっている。
【００２９】
制御ユニット（ＶＣＭ）１１側（図２（Ａ））では、ステップＳ１１で荷役作業用車輌のキースイッチ１２１がＯＮされると、ステップＳ１２で表示ユニット（Ｍ／Ｐ）１０側の累積使用時間の計時結果を受信し、ステップＳ１３で受信した表示ユニット（Ｍ／Ｐ）１０側の累積使用時間の計時結果と制御ユニット（ＶＣＭ）１１側の累積使用時間の計時結果とを比較する。ここで受信して比較した結果、表示ユニット（Ｍ／Ｐ）１０側の累積使用時間の計時結果の方が大きければステップＳ１４に進み、制御ユニット（ＶＣＭ）１１側の第２の記録装置１１１に表示ユニット（Ｍ／Ｐ）１０側の累積使用時間の計時結果を上書き記憶する。受信した表示ユニット（Ｍ／Ｐ）１０側の累積使用時間の計時結果の方が小さければステップＳ１５に進んで終了する。
【００３０】
一方、表示ユニット（Ｍ／Ｐ）１０側（図２（Ｂ））では、ステップＳ２１で荷役作業用車輌のキースイッチ１２１がＯＮされると、ステップＳ２２制御ユニット（ＶＣＭ）１１が送信している制御ユニット（ＶＣＭ）１１側の累積使用時間の計時結果を受信し、ステップＳ２３で受信した制御ユニット（ＶＣＭ）１１側の累積使用時間の計時結果と表示ユニット（Ｍ／Ｐ）１０側の累積使用時間の計時結果とを比較する。ここで受信して比較した制御ユニット（ＶＣＭ）１１側の累積使用時間の計時結果の方が大きければ、ステップＳ２４に進んで表示ユニット（Ｍ／Ｐ）１０側の累積使用時間の計時結果を第１の記憶装置１０３に上書き記憶する。受信した制御ユニット（ＶＣＭ）１１側の累積使用時間の計時結果の方が小さければ、ステップＳ２５に進んで終了する。
【００３１】
このようにすることで、表示ユニット１０が故障したりライトが切れる等の理由で表示ユニット１０全体が交換されても、それまでの累積使用時間は制御ユニット１１の第２の記憶装置１１１に記憶されている累積使用時間が引き継がれて、累積使用時間がわからなくなってしまう、という問題が生ぜず、常に正しい累積使用時間を表示できる表示ユニットとすることができる。なお、上記の例では、表示ユニット１０が交換される場合について説明したが、表示ユニット１０と制御ユニット１１の関係が入れ替わっても良く、何らかの理由で制御ユニット１１が交換された場合は上記したルーチンにより、逆に、表示ユニット１０側の第１の記憶装置１０３の累積使用時間が制御ユニット１１の第２の記憶装置１１１にセットされることになるから、本発明では表示ユニット１０、制御ユニット１１のどちらが壊れた場合も累積使用時間を正確に引き継ぐことができる。
【００３２】
以上が本発明の荷役作業用車輌における表示ユニット１０などの交換時の累積使用時間の引継方法であるが、次に図３に示した０リセットの処理フローについて説明する。前記したように、荷役作業用車輌は工場における調整などで累積使用時間が進むから、出荷時に累積使用時間を０にリセットする必要がある。また、出荷後にアワーメータ（計時装置）の累積使用時間を改ざんされないよう、０リセットを禁止させる必要もある。しかしながら、このように累積使用時間を計時する計時装置が第１の計時装置１０４、第２の計時装置１１２と２つあり、また計時結果を記憶する記憶装置が第１の記憶装置１０３、第２の記憶装置１１１と２つ有ると、出荷時にこれら全ての内容を正確に０リセットしないと、どれかに累積使用時間が残った場合、前記図２のフローによって出荷後に大きな値の累積使用時間が例えば０リセットした累積使用時間側に書き込まれ、累積使用時間が０とならなくなるという問題が生じる。
【００３３】
それを防ぐのが図３のフロー図に示した、本発明になる荷役作業用車輌の表示ユニットのアワーメータ（計時装置）の工場出荷時の０リセットのフロー図である。すなわち本発明になる荷役作業用車輌では、工場から出荷する際、図１に１８で示した外部サービスツール、またはそれに準ずるツールにより外部機器通信手段１１４を介して０リセット要求を出す。その時、これら第１と第２の計時装置１０４、１１２と記憶装置１０３、１１１の累積使用時間を、正確に０リセットするフローがこの図３のフロー図である。
【００３４】
即ち、図３のステップＳ３０で処理がスタートし、まずステップＳ３１で、図１のサービスツール１８から計時装置の０リセット要求が外部機器通信手段１１４を介し、制御ユニット１１の制御装置１１０に送られる。すると、制御装置１１０は、ステップＳ３２でまず制御ユニット１１の第２の記憶装置１１１、第２の計時装置１１２の値を０リセットする。そして、再度の０リセットがおこなえないよう、０リセット禁止フラグを制御ユニット１１の第２の記憶装置１１１の不揮発メモリに記憶させる。そして次のステップＳ３３で、表示ユニット１０側へ第１の記憶装置１０３、第１の計時装置１０４の０リセット要求を送る。
【００３５】
そして表示ユニット１０における表示制御装置１０１は、ステップＳ３４で第１の計時装置１０４、第１の記憶装置１０３の０リセットを実施し、再度の０リセットがおこなえないよう、０リセット禁止フラグを表示ユニット１０の第１の記憶装置１０３の不揮発メモリに記憶させる。
【００３６】
すると制御ユニット１１の制御装置１１０は、ステップＳ３５で受信した表示ユニット１０側計時装置の計時結果が０であるか否かを確認する。もし０でないと判断した場合は、ステップＳ３３に戻って再度表示ユニット１０側の第１の記憶装置１０３、第１の計時装置１０４の０リセットと、０リセット禁止フラグのセット要求を通信部１１３、通信部１０６を介して表示制御装置１０１に送って同じ動作を繰り返す。そして、第１の計時装置１０４の０リセットと０リセット禁止フラグのセットを確認した場合はステップＳ３６に進み、終了する。
【００３７】
なお、以上の説明では、０リセットを制御ユニット１１側を最初に行い、表示ユニット１０側を後で行うよう説明したが、この順序はこの説明の順序に限らず、表示ユニット１０側を先に行い、制御ユニット１１側を後で行うようにしても良く、また、同時に実施しても良いことは自明である。
【００３８】
このようにすることで、例え表示ユニット１０と制御ユニット１１のそれぞれに計時装置と記憶装置とを有していても、０リセット要求によって両者を確実に０リセットすることができる。また、表示ユニット１０、制御ユニット１１に記憶された０リセット禁止フラグにより、第１の計時装置１０４、第２の計時装置１１２が既に０リセット済みである場合は、再度の０リセットが行えなえないようになっているから、アワーメータ（計時装置）の改ざんも防止することができる。
【産業上の利用可能性】
【００３９】
本発明による荷役作業用車輌は、例え表示ユニットに計時装置が組み込まれていて故障によって交換する事態になっても、常に正確な累積使用時間を引き継ぐことができると共に、工場出荷時にアワーメータを０にリセットする場合も、確実に０リセットして問題を起こさないようにすることができる。
【図面の簡単な説明】
【００４０】
【図１】本発明になる荷役作業用車輌における表示ユニットを含む荷役作業用車輌のブロック図である。
【図２】本発明になる荷役作業用車輌における累積使用時間計時方法のフロー図である。
【図３】本発明になる荷役作業用車輌における表示ユニットのアワーメータ（計時装置）の工場出荷時の０リセットのフロー図である。
【符号の説明】
【００４１】
１０  表示ユニット（Ｍ／Ｐ）
１０１  表示制御装置
１０２  表示パネル
１０３  第１の記憶装置
１０４  第１の計時装置
１０６  通信部
１１  制御ユニット（ＶＣＭ）
１１０  制御装置
１１１  第２の記憶装置
１１２  第２の計時装置
１１３  通信部
１１４  外部機器通信手段
１２  運転装置
１２１  キースイッチ
１２２  アクセルスイッチ
１２３  ブレーキスイッチ
１２４  前後進レバー
１３  速度センサ
１４  荷役装置
１４１  リフトレバー
１４２  チルトレバー
１５  各種センサ
１６  走行装置
１７  Ｉ／Ｏインターフェイス
１８  外部サービスツール
【要約】
【課題】アワーメータ（計時装置）を組み込んだ表示ユニットが壊れても、交換したときにそれまでの使用時間が引き継がれるようにすると共に、工場出荷時にアワーメータを確実に０にリセットしながら出荷後の改ざんを防止できるようにした、荷役作業用車輌を提供することが課題である。
【解決手段】荷役作業用車輌の表示ユニットに搭載された第１の計時装置により計時された車輛の使用時間を累積記憶する第１の記憶装置と、制御装置に搭載された第２の計時装置により計時された車輛の使用時間を累積記憶する第２の記憶装置とを有し、制御装置により、荷役作業用車輌の電源ＯＮで前記第１の記憶装置と第２の記憶装置に記憶されている累積使用時間を互いに送受信し、それぞれ自己側の累積使用時間と比較し、累積使用時間が大きい方の値を小さい方の値が記憶されている記憶装置に書き込むようにした。
【選択図】  図１【図１】
0004302176.tif 000002
【図２】
0004302176.tif 000003
【図３】
0004302176.tif 000004